(57)【要約】【課題】所望する部分に、通気性を充分に確保できるとともに、装着感のよい締め込み部を形成した部分的に締め込み部を形成した筒状編地およびその編成方法を提供できるようにする。【解決手段】少なくとも前後一対のニードルベッドを備えた横編機により、前後のニードルベッドにわたって編糸が給糸されることにより編成された筒状の編地に部分的に締め込み部が形成された筒状編地であって、部分的な締め込み部を編成するに当たり、その他の編地を編成する編み糸から弾性糸に切り替えて締め込み部分を所定の張力を付与した弾性糸のみで孔開き柄に編成し、弾性糸から編糸に切り替えて締め込み部分からその周辺の編地の編成することにより、筒状編地の所望する部分に弾性糸のみからなるメッシュ地の締め込み部を形成したことを特徴とする部分的に締め込み部を形成できるようにした。【選択図】図３
2011246826.tif 000002
【特許請求の範囲】
【請求項１】
少なくとも前後一対のニードルベッドを備えた横編機により、前後のニードルベッドにわたって編糸が給糸されることにより編成された筒状の編地に部分的に締め込み部が形成された筒状編地であって、部分的な締め込み部を編成するに当たり、その他の編地を編成する編み糸から弾性糸に切り替えて締め込み部分を所定の張力を付与した弾性糸のみで孔開き柄に編成し、弾性糸から編糸に切り替えて締め込み部分からその周辺の編地の編成することにより、筒状編地の所望する部分に弾性糸のみからなるメッシュ地の締め込み部を形成したことを特徴とする部分的に締め込み部を形成した筒状編地。
【請求項２】
筒状編地が、つま先部分から足挿入口部分、もしくは足挿入口部分からつま先部分に向けて編糸が周回状に給糸されて筒状に編成される靴下であることを特徴とする請求項１に記載の部分的に締め込み部を形成した筒状編地。
【請求項３】
少なくとも前後一対のニードルベッドを備えた横編機の前後のニードルベッドにわたって編糸が周回状に給糸して編成される筒状の編地に部分的に締め込み部を形成する筒状編地の編成方法であって、筒状編地を編成するにあたり、部分的な締め込み部を編成する編成領域では、他の編地を編成する編み糸から弾性糸に切り替えて締め込み部分を所定の張力を付与した弾性糸のみで孔開き柄に編成しメッシュ地の締め込み部を形成した後、弾性糸から編糸に切り替えて締め込み部分の編成領域から他の編地の編成領域を編成することにより、筒状編地の所望する部分に弾性糸のみからなるメッシュ地の締め込み部を形成したことを特徴とする部分的に締め込み部を形成した筒状編地の編成方法。
【請求項４】
請求項３に記載の筒状編地の編成方法における筒状編地が、つま先部分から足挿入口部分、もしくは足挿入口部分からつま先部分に向けて編糸が周回状に給糸されて筒状に編成される靴下であるもの。
【発明の詳細な説明】
【技術分野】
【０００１】
本発明は、部分的に締め込み部を形成した筒状編地およびその編成方法に関するものである。
【背景技術】
【０００２】
一般に、筒状編地として、サポータや靴下等があげられるが、例えば靴下を装着してスポーツや運動する場合、足の土踏まず部分を締め込むことにより、靴下の装着感を高めるとともに、スポーツや運動時に靴下は、ずれ動きを防止して運動性を高められることが知られている。
そこで、こうした要請にこたえるために特許文献１に示すように足の土踏まず部分に締め込み部を形成した靴下が提案されている。
【０００３】
この特許文献１に記載された靴下は、つま先部分から足挿入口部分、もしくは足挿入口部分からつま先部分に向けて編糸が周回状に給糸されて筒状に編成され、土踏まず部分（アーチ部分）ではゴム糸を所定の張力を付与した状態で編み込むことにより、当該土踏まず部分に締め込み部を形成するようにしたものである。
【０００４】
ところがこうしたものでは、土踏まず部分に編みこまれたゴム糸の収縮により当該部分の編目が収縮し、厚みが増すだけでなく、通気性が阻害されることから、蒸れやすくなってしまうという問題があった。
【０００５】
また、土踏まず部分の周回編成時にゴム糸が編みこまれることから、足の裏の土踏まずだけでなく、足の甲側にも収縮部が形成され、当該甲側部分も編みこまれたゴム糸の張力が作用してしまい、窮屈なものとなり、上記の阻害される通気性とも相俟って装着感が低下してしまうという問題もあった。
【０００６】
上記問題は、必ずしも土踏まずに設けられる締め込み部分だけでなく、例えば、足首の甲側部分やその他の部分に締め込み部が設けられる場合にも同様の問題が発生する。
さらに、サポータ等の装身用の筒状編地においても、厚みが増すだけでなく、通気性が阻害されることから、蒸れやすくなってしまうという問題は発生する。
【先行技術文献】
【特許文献】
【０００７】
【特許文献１】特開２００２−６９７０１号公報
【発明の概要】
【発明が解決しようとする課題】
【０００８】
本発明は上記問題点に鑑み提案されたもので、筒状編地の所望する部分に、通気性を充分に確保できるとともに、装着感のよい締め込み部を形成した筒状編地およびその編成方法を提供できるようにすることを目的とするものである。
【課題を解決するための手段】
【０００９】
上記目的を達成するために本発明にかかる部分的に締め込み部を形成した筒状編地は、少なくとも前後一対のニードルベッドを備えた横編機により、前後のニードルベッドにわたって編糸が給糸されることにより編成された筒状の編地に部分的に締め込み部が形成された筒状編地であって、部分的な締め込み部を編成するに当たり、その他の編地を編成する編み糸から弾性糸に切り替えて締め込み部分を所定の張力を付与した弾性糸のみで孔開き柄に編成し、弾性糸から編糸に切り替えて締め込み部分からその周辺の編地の編成することにより、筒状編地の所望する部分に弾性糸のみからなるメッシュ地の締め込み部を形成したことを特徴とする部分的に締め込み部を形成したことを最も主要な特徴とするものである。
【００１０】
本発明にかかる部分的に締め込み部を形成した筒状編地では、  筒状編地が、つま先部分から足挿入口部分、もしくは足挿入口部分からつま先部分に向けて編糸が周回状に給糸されて筒状に編成される靴下であることも特徴とするものである
【００１１】
本発明にかかる部分的に締め込み部を形成した筒状編地の編成方法では、少なくとも前後一対のニードルベッドを備えた横編機の前後のニードルベッドにわたって編糸が周回状に給糸して編成される筒状の編地に部分的に締め込み部を形成する筒状編地の編成方法であって、筒状編地を編成するにあたり、部分的な締め込み部を編成する編成領域では、他の編地を編成する編み糸から弾性糸に切り替えて締め込み部分を所定の張力を付与した弾性糸のみで孔開き柄に編成しメッシュ地の締め込み部を形成した後、弾性糸から編糸に切り替えて締め込み部分の編成領域から他の編地の編成領域を編成することにより、筒状編地の所望する部分に弾性糸のみからなるメッシュ地の締め込み部を形成したことを特徴とする部分的に締め込み部を形成することを最も主要な特徴とするものである。
【００１２】
本発明にかかる部分的に締め込み部を形成した筒状編地の編成方法では、筒状編地の編成方法における筒状編地が、つま先部分から足挿入口部分、もしくは足挿入口部分からつま先部分に向けて編糸が周回状に給糸されて筒状に編成される靴下であることも特徴とするものである。
【発明の効果】
【００１３】
本発明にかかる部分的に締め込み部を形成した筒状編地およびその編成方法によれば、サポータや靴下等の筒状編地に実施すると、その筒状編地の所望する部分に設けられる締め込み部が、メッシュ地の締め込み部となることから、充分な締め込み力を維持できながらも、当該部分の厚みを増すことなく、良好な通気性を確保して蒸れを防止することができる。
特にしたがって、筒状編地である靴下に実施することにより、運動性を良好に保持できながらも、装着感に優れた靴下を提供することができる利点がある。
【図面の簡単な説明】
【００１４】
【図１】は本発明にかかる靴下の平面図である。
【図２】は本発明にかかる靴下の底面（足裏）図である。
【図３】は本発明にかかる靴下を装着した状態を示す仰瞰図である。
【図４】は本発明にかかる靴下の締め込み部の編成工程を示す説明図である。
【図５】は本発明にかかる靴下の収縮部の編成工程を示す説明図である。
【図６】は本発明にかかる靴下の弾性部の編成工程を示す説明図である。
【実施例】
【００１５】
以下、本発明にかかる部分的に締め込み部を形成した筒状編地およびその編成方法の最も好ましい実施の形態を、靴下を例にして図面に基づいて説明する。
図１は本発明にかかる靴下の平面図、図２はその底（足裏）面図であり、図３は本発明にかかる靴下を装着した状態を示す仰瞰図であって、図中符号１は靴下を全体的に示す。
【００１６】
この靴下１は、図示は省略したが、編針を摺動可能に装着したニードルベッドを、その歯口部が近接する状態で側面視において“ハ”の字型で前後に配設し、各ニードルベッドの上面を摺動走行するキャリッジで各編針が進退摺動操作されるとともに、前後のニードルベッドが相対的に移動（ラッキング）可能にした周知の構造の横編機を使用して５本の指袋を備えた指付き靴下１に編成されている。
本例では前側のニードルベッドで靴下の甲側（表側）が、後側のニードルベッドで靴下の裏側がそれぞれ連続した状態で周回編成により筒状に編成されている。
また、各ニードルベッドに装着される編針は、スライダが進退してフックを開閉するいわゆる「コンパウンドニードル」になっており、このスライダは編針とは別個に進退制御可能になっている。
【００１７】
この指付き靴下１は、横編機の前後のニードルベッドの編針に亙って、後述するゴム糸やカバーリングヤーン等の弾性糸とは異なる、例えば綿糸やポリエステル繊維あるいはナイロン繊維やこれらの混紡糸等の編糸（以下単に編糸という）をジグザグに給糸して夫々爪先部分から編み出された親指用の指袋２、人指し指用の指袋３、中指用の指袋４の各指袋が形成され、これらの指袋２〜４が合一された三本胴５が所定コース編成された後、薬指用の指袋６が編成される。
前記三本胴５と薬指用の指袋６とが合一された四本胴７が筒状に編成された後、小指用の指袋８が編成され、四本胴７と小指用の指袋８とが１つになった靴下１の五本胴９が所定コース分編成される。
【００１８】
五本胴９が編成された後、メッシュ（孔開き）組織からなる締め込み部１０が形成される土踏まず部分１１と、甲側にメッシュ組織からなる収縮部１２が形成されるかかと部分１３とアキレス腱側に弾性部１４が形成される足首部分１５からふくら脛部分１６を介して編み終わりとなる足挿入口部分１７が形成されている。
この足挿入口部分１７の上端は捨て編みがされ、その上端部は折り返され、端部がすくい縫いによりふくら脛部分１６の上端内面に縫着されて、解れ止め等の処理が施されている。なお、この端部の処理はオーバーロックや伏せ目で行われることもある。
【００１９】
足の裏の上記土踏まず部分１１は、後側のニードルベッドで編成されるもので、ここに形成される締め込み部１０は、他の編地を編糸からインターシャ編みによりゴム糸に切り替えてメッシュ組織の締め込み部１０を形成されており、その編成手順を示す図４は、メッシュ組織の締め込み部１０の編成手順を示す。
すなわち、前側のニードルベッドには上記編糸が給糸されるとともに、メッシュ組織の締め込み部１０が形成される部分の後側のニードルベッドの編針には、インターシャ編により編糸からゴム糸（弾性糸）に切り替えられ、この編糸からゴム糸に切り替えられた直後の部分およびゴム糸から他の編地を形成する編糸に切り替えられる直前の数目は平編みにしてある。
【００２０】
そして、前記メッシュ組織の編成は図４に示す手順で行われる。
図４において、図中枠外左方のかっこ付き数字はヤーンフィーダからの給糸による編成コース、図中枠内左方の英文字Ｂは横編機の後側のニードルベッド、Ｆは前側のニードルベッド、各ニードルベッド内の数字は編針もしくはその編針に掛止させたループをそれぞれ示し、これらの符号は図５および図６も共通である。
この本例では、前述したとおり、後側のニードルベッドＢで足裏側の靴下部分を編成し、Ｆは前側のニードルベッドで足の表側（甲側）部分を編成するようになっている。
編成コース（１）で示すように、締め込み部１０が形成される部分では、後側のニードルベッドＢの編針への給糸が編糸から切り替えられたゴム糸が給糸され、この後側のニードルベッドＢの編針形成されたループの、例えば符号１で示す等間隔置きの編針のループを一旦、前側のニードルベッドＦの符号３の編針のスライダに掛止させて、後側のニードルベッドＢの前記符号１の編針を空針にする。
【００２１】
次に、後側のニードルベッドＢを右方に１ピッチ分ラッキングさせた後、符号１の編針から前側のニードルベッドＦの符号３の編針のスライダに掛止させた前記ループを、後側のニードルベッドＢの符号２の編針を進出させて移す。
しかる後、編成コース（２）で示すように、前側のニードルベッドＦのすべての編針には編糸を、後側のニードルベッドＢのすべての編針にゴム糸が給糸されてそれぞれループを形成する。
この時、締め込み部１０の編成領域外の編地を編成するために給糸する場合には、ゴム糸から他の編地を形成する編糸に切り替えられ、他の編地から締め込み部１４に入る場合には、他の編地を編成する編糸からゴム糸から編糸に切り替えられて周回編成される。
【００２２】
上記編成コース（２）が所定回数（本例では２コース）繰り返された後、編成コース（３）に示すように後側のニードルベッドＢの符号２の編針のループを前側の符号３の編針のスライダに移し、当該符号３の編針を空針にし、後側のニードルベッドＢを左方に１ピッチ分ラッキングさせる。
後側のニードルベッドＢの符号２の編針から前側のニードルベッドＦの符号３の編針のスライダに移されて掛止されている前記ループを後側のニードルベッドＢの符号１の編針に移す。
しかる後、編成コース（４）で示すように、前側のニードルベッドＦには編糸が給糸され、後側のニードルベッドＢのすべての編針にはゴム糸が給糸されてそれぞれループが形成される。
【００２３】
この時、前述したのと同様に、締め込み部１０からその編成領域外に連続して後側のニードルベッドＢの編針に給糸する場合には、ゴム糸から締め込み部外の編地を形成する編糸に切り替えられ、逆に他の編地から締め込み部に入る場合は、他の編地を編成する編糸からにゴム糸から編糸に切り替えられて前側のニードルベッドＦには編糸、後側のニードルベッドＢのすべての編針にはゴム糸がそれぞれ給糸されて周回編成される。
上記編成コース（４）が所定回数（本例では２コース）周回編成されると、足の裏側部分（土踏まず部分１１）を編成する後ろ側のニードルベッドの符号１の編針部分に孔開き柄（メッシュ地）が形成される。
【００２４】
上記のようにして、土踏まず部分１１に孔開き柄が形成された締め込み部１０が形成されると、締め込み部１０外の編地を形成する編糸が所定回数給糸された後、甲側にメッシュ組織からなる収縮部１２が形成されるかかと部分１３が編成される。
このかかと部分１３は、靴下１の裏側を編成する後側のニードルベッドＢの所定幅にのみ編み糸を給糸し、引き返し編みでその編幅を一旦減少させた後、その編幅を復帰させることにより、この部分に略台形に膨んだかかと部分１３が形成される（図３参照）。
かかと部分１３の甲側に形成されるメッシュ組織からなる収縮部１２は、締め込み部１０を編成した上記ゴム糸をカバーリングヤーン（ＦＴＹ）にして編成するようにしたものであって、図５に示すように上記締め込み部１０と同様の編成により形成されている。
【００２５】
そして、前側のニードルベッドＦで収縮部分を形成する編針部分に、インターシャ編により編糸がカバーリングヤーンに切り替えられ、このカバーリングヤーンに切り替えられた直後の数目およびカバーリングヤーンから他の編地を形成する編糸に切り替えられる直前の数目は平編みにするとともに、前記メッシュ組織の編成が図５に示す手順で行われる。
すなわち、図５の編成コース（１）で示すように、前後の各編針にわたって、カバーリングヤーンを給糸して形成されたループの前側のニードルベッドＦの編針の例えば符号１で示す等間隔置きの編針のループを一旦、後側のニードルベッドＢの符号３の編針のスライダに移して掛止させ、前側のニードルベッドＦの前記符号１の編針を空針にする。
【００２６】
次に、前側のニードルベッドＦを右方に１ピッチ分ラッキングさせた後、後側のニードルベッドＢの符号３で示す編針のスライダに掛止させた前記カバーリングヤーンからなるループを前側のニードルベッドＦの編針１に移す。
しかる後、編成コース（２）で示すように、収縮部１２を編成する前側のニードルベッドＦにはカバーリングヤーンを給糸し、後側のニードルベッドＢには編糸を給糸してループを形成する。
この時、収縮部１２の編成領域からその外方の編成領域部分に給糸する場合には、カバーリングヤーン糸から他の編地を形成する編糸に切り替えられ、他の編地から収縮部１２の編成領域に入る場合は、他の編地を編成する編糸からカバーリングヤーンに切り替えられて周回編成されるのは前述したのと同様である。
【００２７】
編成コース（２）が所定回数（本例では２コース）繰り返された後、編成コース（３）に示すように前側のニードルベッドＦの符号２の編針のループを後側のニードルベッドＢの符号３の編針のスライダに移し、当該符号３の編針を空針にした後、前側のニードルベッドＦを左方に１ピッチ分ラッキングさせる。
次に、前側のニードルベッドＦの符号２の編針から後側のニードルベッドＢの符号３の編針のスライダに移されたループを前側のニードルベッドＦの符号１で示す編針に移し、編成コース（４）で示すように、前側および後側のニードルベッドＢのすべての編針にカバーリングヤーンでループを形成する。
【００２８】
この時、前述したのと同様に、収縮部１２の編成領域からその外方の編地を編成するために給糸する場合には、カバーリングヤーンから当該編地を形成するために編糸に切り替えられ、収縮部１２外の編地から収縮部１２に入る場合は、編糸からカバーリングヤーンに切り替えられて周回編成される。
そして上記編成コース（４）が所定回数（本例では２コース）周回編成されると、足の甲側に孔開き柄の収縮部１２が形成される。
斯くしてカバーリングヤーンで編成された収縮部１２の孔は、糸の太さの違いによりゴム糸で編成された締め込み部１０の孔よりも見た目で小さく、目が詰んでいるようになっている。
【００２９】
かかと部分１３の編成が終わると、アキレス腱側に形成される弾性部１４を設けた足首部分１５が編成される。
この弾性部１４は、カバーリングヤーンで形成され、図２および図３に示すように中央部にはアキレス腱に沿うように縦方向に形成された保護部１８が設けられ、この保護部１８は図５に示すように編成されている。
すなわち、弾性部分１４では図５の編成コース（１）に示すように、足首部分１５の靴下１の表側部分を編成する前側のニードルベッドＦには編糸を給糸するとともに、足首部分１５の後側部分を編成する後側のニードルベッドＢの編針にはカバーリングヤーンを給糸し、アキレス腱に対応する中央部分に当該編針の２本おきにニットとミスを所定数繰り返した部分を編成する。
【００３０】
次に、編成コース（２）では、靴下１の足首部分１５の表側部分を編成する前側のニードルベッドには編糸を給糸するとともに、上記編成コース（１）の後側のニードルベッドＢの編針に２本おきに繰り返されたニット部分にはミスし、上記ミスした部分の編針にはニットさせるようにカバーリングヤーンを給糸し、この編成コース（１）および編成コース（２）を適宜繰り返すことにより、アキレス腱に沿う立て向きの保護部１８が編成される。
こうして編成された保護部１８は、上記ミスさせた部分のカバーリングヤーンが渡り糸になっており、この渡り糸の張力によりアキレス腱部分が収縮するように付勢される。
【００３１】
上記のようにして保護部１８が形成された後、足首部分１５からふくら脛部分１６を介して編み終わりとなる足挿入口部分１７が筒状に編成され、その上端に捨て編み部分に形成され、捨て編み部分の上端部が折り返され、端部がすくい縫い等によりによりふくら脛部分１６の上端内面に縫着されている。
【００３２】
尚、上記実施の形態では、ゴム糸で締め込み部１０を編成するようにしてあるが、ゴム糸に代えてカバーリングヤーン等の弾性糸にすることができるのはもちろんのこと、収縮部１２や上記保護部１８をゴム糸にすることができるのはいうまでもないことである。
本例では靴下１を５本の指付き靴下にしてあるが、指袋の数は特に５本に限定はされず、例えば３本や２本にすることができるのはもちろんのこと、指袋のない靴下にも本発明を実施することができるのはもちろんのことである。
【００３３】
また、上記実施の形態では、横編機のニードルベッドに装着される編針がスライダを備えてコンパウンドニードルにしてあるが、こうしたものに限られずベラ針、いわゆるラッチニードル式の横編機を、空針を作った針抜きにして使用することもできる。
さらに、上記実施の形態では、靴下１をつま先部分から足挿入口部分に編成するようにしてあるが、こうしたものに限られず、足挿入口部分からつま先部分に向けて編糸が周回状に給糸されて靴下１を筒状に編成するものにも本発明を実施することができるのはいうまでもないことである。
加えて、上記実施の形態では、靴下を例にして本発明を説明するようにしてあるが、こうしたものに限られず、サポータ等の筒状編地にも実施することができるのはもちろんのことである。
【符号の説明】
【００３４】
１・・・靴下
２・・・親指用の指袋
３・・・人指し指用の指袋
４・・・中指用の指袋
５・・・三本胴
６・・・薬指用の指袋
７・・・四本胴
８・・・小指用の指袋
９・・・五本胴
１０・・・締め込み部
１１・・・土踏まず部分
１２・・・収縮部
１３・・・かかと部分
１４・・・弾性部
１５・・・足首部分
１６・・・ふくら脛部分
１７・・・足挿入口部分
１８・・・保護部
【図１】
2011246826.tif 000003
【図２】
2011246826.tif 000004
【図３】
2011246826.tif 000005
【図４】
2011246826.tif 000006
【図５】
2011246826.tif 000007
【図６】
2011246826.tif 000008